(57)【要約】      （修正有）【課題】バッテリーの落下等により、バイメタル式の電流遮断素子に対して衝撃が加わった場合においても、電気機器の電源の瞬断を防止する方法の提供。【解決手段】バッテリーは略直方体のバッテリーセル１０３と、バッテリーセル１０３の熱を検知するバイメタル式の電流遮断素子１０５、１１０を有し、電流遮断素子１０５、１１０は並列に接続され、かつバッテリーセル１０３と直列に接続されており、電流遮断素子１０５はバッテリーセルの上面１０３ａに、電流遮断素子１１０はバッテリーセルの上面１０３ａと直交する側面１０３ｂにそれぞれ配置されるバッテリー。【選択図】図１
2016004672.tif 000002
【特許請求の範囲】
【請求項１】
内蔵された直方体のバッテリーセルと、前記バッテリーセルの熱を検知するバイメタル式の第１と第２の電流遮断素子を有し、前記第１と第２の電流遮断素子は並列に接続され、かつ前記バッテリーセルと直列に接続されており、前記第１の電流遮断素子は前記バッテリーセルの第１の面に、前記第２の電流遮断素子は前記バッテリーセルの第２の面に配置され、前記第１の面と前記第２の面は直交する面であることを特徴とするバッテリー。
【請求項２】
内蔵された直方体の複数のバッテリーセルと、前記バッテリーセルの熱を検知する前記バッテリーセルと同数のバイメタル式の電流遮断素子を有し、前記電流遮断素子と前記バッテリーセルは直列に接続されており、かつ少なくとも２組以上前記電流遮断素子および前記バッテリーセルは並列に繋がれており、前記第１の電流遮断素子が前記第１のバッテリーセルの第１の面に、前記第２の電流遮断素子が前記第２のバッテリーセルの第２の面に配置されており、前記第１のバッテリーセルの第１の面と前記第２のバッテリーセルの第２の面は直交する面であることを特徴とするバッテリー。
【発明の詳細な説明】
【技術分野】
【０００１】
本発明は、バイメタル式の電流遮断素子を用いたバッテリーに関するものである。
【背景技術】
【０００２】
従来のバッテリーには、バッテリーセルの異常発熱を検知するために、バイメタル式の電流遮断素子が用いられているものがある（特許文献１参照）。
【０００３】
バッテリーの内部構成は図５に示すように、外装ケース３０１、３０２の中にバッテリーセル３０３、回路基板３０８、回路基板３０８に実装されているバッテリー端子３０９、導通部材３０６、３０７、保持部材３０４、バイメタル式の電流遮断素子３０５が収納されている。そして図６に示すように、バッテリーセル３０３の上面にバイメタル式の電流遮断素子３０５が配置されており、バッテリーセル３０３の温度が伝わるように当接している。
【０００４】
また図７に示すように、バッテリーの回路図において、バッテリーセル３０３とバイメタル式の電流遮断素子３０５が直列に繋がれており、接続部３１１、３１２によって回路基板３０８に繋がれている。バッテリーセル３０３が高温になった際は素子３０５の接点が離れ、回路を遮断する仕組みになっている。
【先行技術文献】
【特許文献】
【０００５】
【特許文献１】特開平７−１３４９８３号公報
【発明の概要】
【発明が解決しようとする課題】
【０００６】
しかしながら、バッテリーは異常発熱時のセルの膨張を考慮した隙間や、部品の加工誤差や組立性向上のための隙間が存在する。上記従来例では図８に示すように、バッテリーが落下等による衝撃を受けた際に内部のバッテリーセル３０３が前記隙間を移動し、バッテリーセル３０３上面に配置されたバイメタル式の電流遮断素子３０５が外装ケース３０１に衝突する場合がある。その際の衝突の衝撃により、バイメタル式の電流遮断素子３０５内部の接点部３１０が離れ、電子機器の電源が瞬断する可能性があるという問題があった。
【０００７】
本発明の目的は、バイメタル式の電流遮断素子３０５に対して落下等による衝撃が加わった場合においても、電気機器の電源の瞬断を防止することである。
【課題を解決するための手段】
【０００８】
本発明のバッテリーは、内蔵された略直方体のバッテリーセルと、前記バッテリーセルの熱を検知するバイメタル式の第１と第２の電流遮断素子を有し、前記第１と第２の電流遮断素子は並列に接続され、かつ前記バッテリーセルと直列に接続されており、前記第１の電流遮断素子は前記バッテリーセルの第１の面に、前記第２の電流遮断素子は前記バッテリーセルの第２の面に配置され、前記第１の面と前記第２の面は直交する面であることを特徴としている。
【発明の効果】
【０００９】
本発明によれば、第１の素子に落下等による衝撃が加わり、第１の素子の接点が離れてしまっても、第２の素子は直交する面に配置されているため、接点が離れる方向に衝撃を受けることがなく、落下等の衝撃により回路が遮断されることを防止できる。
【図面の簡単な説明】
【００１０】
【図１】本発明の第１の実施形態に関わるバッテリーから外装ケースを取り外した際の斜視図である。
【図２】本発明の第１の実施形態に関わるバッテリーの回路図である。
【図３】本発明の第２の実施形態に関わるバッテリーから外装ケースを取り外した際の斜視図である。
【図４】本発明の第２の実施形態に関わるバッテリーの回路図である。
【図５】従来のバッテリーの分解斜視図である。
【図６】従来のバッテリーから外装ケースを取り外した際の斜視図である。
【図７】従来のバッテリーの回路図である。
【図８】従来のバッテリーの断面図である。（ａ）は通常状態を表わしており、（ｂ）はバイメタル式の電流遮断素子が外装ケースと当接している状態を表わしている。
【発明を実施するための形態】
【００１１】
以下、本発明を実施するための形態を図面に基づいて説明する。
【００１２】
＜第１の実施形態＞
本発明の第１の実施形態を図１，２に基づいて説明する。図１に示すように、外装ケース１０１、１０２の中にバッテリーセル１０３、回路基板１０８、回路基板１０８上に実装されているバッテリー端子１０９、導通部材１０６、保持部材１０４、バイメタル式の電流遮断素子１０５、１１０が収納されている。バッテリー端子１０９が実装されている回路基板１０８とバッテリーセル１０３は保持部材１０４により保持されている。回路基板１０８とバイメタル式の電流遮断素子１０５、１１０とバッテリーセル１０３が導電部材１０６により連結されている。バッテリーセルの上面１０３（ａ）にバイメタル式の電流遮断素子１０５を、バッテリーセルの上面１０３（ａ）と直交する側面１０３（ｂ）にバイメタル式の電流遮断素子１１０を配置する。なおバッテリー端子１０９はバッテリーを装着する電子機器の電源端子（不図示）に接続され、バッテリーセル１０３からの電源を供給している。また図２に示すように、２つのバイメタル式電流遮断素子１０５，１１０は回路上並列に配置されており、その二つの素子がバッテリーセル１０３に直列に接続されており、接続部１１１、１１２によって回路基板１０８に繋がれている。
【００１３】
本発明の形態を実施することにより、バッテリーがＺ方向の落下等による衝撃を受けた際に内部のバッテリーセル１０３がＺ方向に移動し、バッテリーセルの上面１０３（ａ）に配置されたバイメタル式の電流遮断素子１０５が外装ケース１０１の内側に衝突し、その衝撃により、バイメタル式の電流遮断素子１０５内部の接点が離れたとしても、バッテリーセルの側面１０３（ｂ）に配置されている他方のバイメタル式の電流遮断素子１１０には、接点が離れる方向の衝撃が加わることがなく接点が離れないため、回路の瞬断を防止することができる。また同様に、バッテリーがＸ方向の落下等による衝撃を受けた際に内部のバッテリーセル１０３がＸ方向に移動し、バッテリーセルの側面１０３（ｂ）にバイメタル式の電流遮断素子１１０が外装ケース１０１の内側に衝突し、その衝撃により、バイメタル式の電流遮断素子１１０内部の接点が離れたとしても、バッテリーセルの上面１０３（ａ）に配置されている他方のバイメタル式の電流遮断素子１０５には、接点が離れる方向の衝撃が加わることがなく接点が離れないため、回路の瞬断を防止することができる。またバッテリーがＹ方向の落下等による衝撃を受けた際は、バイメタル式の電流遮断素子１０５、１１０には、ともに接点が離れる方向の衝撃が加わることがなく接点が離れない。
【００１４】
＜第２の実施形態＞
本発明の第２の実施形態を図３、４に基づいて説明する。図３に示すように、外装ケース２０１、２０２内にバッテリーセル２０３、２１１、回路基板２０８、回路基板２０８上に実装されているバッテリー端子２０９、導通部材２０６、保持部材２０４、バイメタル式の電流遮断素子２０５、２１０、粘着性絶縁部材２１２が収納されている。バッテリー端子２０９が実装されている回路基板２０８とバッテリーセル２０３は保持部材２０４により保持されている。バッテリーセル２１１は粘着性絶縁部材２１２によりバッテリーセル２０３に保持されている。バッテリー端子２０９が実装されている回路基板２０８とバイメタル式の電流遮断素子２０５、２１０とバッテリーセル２０３、２１１が導通部材２０６により連結されている。第１のバッテリーセルの上面２０３（ａ）に第１のバイメタル式の電流遮断素子２０５を、第２のバッテリーセル２１１の前記上面と直交する側面２１１（ｂ）に第２のバイメタル式の電流遮断素子２１０を配置する。なおバッテリー端子２０９はバッテリーを装着する電子機器の電源端子（不図示）に接続され、バッテリーセル２０３、２１１からの電源を供給している。また図４に示すように、第１のバッテリーセル２０３と第１のバイメタル式電流遮断素子２０５、第２のバッテリーセル２１１と第２のバイメタル式電流遮断素子２１０は回路上並列に配置されており、それぞれのセルとバイメタル式電流遮断素子は直列に接続されている。また接続部２１２、２１３によって回路基板２０８に繋がれている。
【００１５】
本発明の形態を実施することにより、バッテリーがＺ方向の落下等による衝撃を受けた際に内部のバッテリーセル２０３、２１１がＺ方向に移動し、バッテリーセルの上面２０３（ａ）に配置されたバイメタル式の電流遮断素子２０５が外装ケース２０１の内部に衝突し、その衝撃により、バイメタル式の電流遮断素子２０５内部の接点が離れたとしても、側面２１１（ｂ）に配置されている他方のバイメタル式の電流遮断素子２１０には、接点が離れる方向の衝撃が加わることがなく接点が離れないため、回路の瞬断を防止することができる。また、バッテリーがＸ方向の落下等による衝撃を受けた際に内部のバッテリーセル２０３、２１１がＸ方向に移動し、バッテリーセルの側面２１１（ｂ）に配置されたバイメタル式の電流遮断素子２１０が外装ケース２０１の内部に衝突し、その衝撃により、バイメタル式の電流遮断素子２１０内部の接点が離れたとしても、上面２０３（ａ）に配置されている他方のバイメタル式の電流遮断素子２０５には、接点が離れる方向の衝撃が加わることがなく接点が離れないため、回路の瞬断を防止することができる。またバッテリーがＹ方向の落下等による衝撃を受けた際は、バイメタル式の電流遮断素子２０５、２１０には、ともに接点が離れる方向の衝撃が加わることがなく接点が離れない。
【００１６】
第１の実施形態の場合、セル１つにバイメタル２つ使用しなければならなかったが、第２の実施形態の場合セル１つにつきバイメタル１つの使用で実現できるため、従来の部品点数を維持したまま実施できる。
【００１７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００１８】
１０１，１０２，２０１，２０２，３０１，３０２  外装ケース、
１０３，２０３，２１１，３０３  バッテリーセル、
１０４，２０４，３０４  保持部材、
１０５，１１０，２０５，２１０，３０５  バイメタル式電流遮断素子、
１０６，２０６，３０６，３０７  導通部材、
１０９，２０９，３０９  バッテリー端子、
１１１，１１２，２１２，２１３，３１１，３１２  回路基板接続部、
１０８，２０８，３０８  回路基板、
３１０  バイメタル式電流遮断素子の接点部
【図１】
2016004672.tif 000003
【図２】
2016004672.tif 000004
【図３】
2016004672.tif 000005
【図４】
2016004672.tif 000006
【図５】
2016004672.tif 000007
【図６】
2016004672.tif 000008
【図７】
2016004672.tif 000009
【図８】
2016004672.tif 000010